(57)【要約】【課題】ウィッグ据置手段に据置されているウィッグに侵入した細菌を撲滅処理するか、または臭いを除去してウィッグを衛生的に管理し、快適に使用することができるようにする光触媒を用いた消毒および脱臭可能なウィッグスタンドを提供する。【解決手段】本発明は、上端部にウィッグが据置できるように頭状の形状に形成され、かつ光や空気が通じるようにする胴体部材からなるウィッグ据置手段を備え、かつ前記胴体部材に光触媒を塗り付けて、その内部に照明装置を取り付けて、照明装置を通じて光を胴体部材に供給することによって、胴体部材の光触媒を活性化させて、ウィッグ据置手段に据置されているウィッグに侵入した細菌やウイルスなどを滅菌処理するか、または臭いを除去することによって、ウィッグを衛生的に管理して快適に使用できるようにする光触媒を用いた消毒および脱臭可能なウィッグスタンドに関する。【選択図】図１
2018178341.tif 000002
【特許請求の範囲】
【請求項１】
ウィッグに侵入した細菌を消毒する、または、臭いを除去するウィッグスタンドであって、
ウィッグが外部に据置される隔壁プレート（１１２）、および、前記隔壁プレート（１１２）と連結設置され、中空の空間部（１１１）が形成され、光触媒が塗布された胴体部材（１１３）からなるウィッグ据置手段（１１０）と、
前記ウィッグ据置手段（１１０）の下端部に取り付けられて前記ウィッグ据置手段（１１０）が支持される支持ブラケット（１２０）と、
前記ウィッグ据置手段（１１０）の内部に備えられて光を照射するよう取り付けられた照明装置（１３０）と、および、
前記支持ブラケット（１２０）に取り付けられて前記ウィッグ据置手段（１１０）の内部を換気させるファン（１４０）と、を含み、
前記ウィッグ据置手段（１１０）の内側に形成された前記空間部（１１１）は、下部に位置する下部空間部（１１１ａ）と、および、前記下部空間部（１１１ａ）の上部側に引き続き形成されながら前記照明装置（１３０）が位置する中間空間部（１１１ｂ）とを含み、
前記胴体部材（１１３）は、複数枚の不織布を連続して貼り付けてハニカム形状に構成され、かつ複数の胴体に区分され、前記下部空間部（１１１ａ）と前記中間空間部（１１１ｂ）に近接して位置し、一側面が中心部に開放され、下面と上面が開放され、円周方向に引き続き複数個形成されて空気が移動される上部内側通路（Ｔ１）と、および、
前記上部内側通路（Ｔ１）とは交互に備えられながら４面が塞がり、下面と上面が開放されながら円周方向に引き続き複数個形成されて空気が移動される上部中間通路（Ｔ２）を含む、光触媒を用いた消毒および脱臭可能なウィッグスタンド。
【請求項２】
前記胴体部材（１１３）は、上部側に形成される上部胴体（１１３ｃ）、前記上部胴体（１１３ｃ）の下部に備えられながら前記中間空間部（１１１ｂ）が形成される中部胴体（１１３ｂ）、および、前記下部空間部（１１１ａ）が形成される下部胴体（１１３ａ）に区分される、請求項１に記載の光触媒を用いた消毒および脱臭可能なウィッグスタンド。
【請求項３】
前記中部胴体（１１３ｂ）には一側面が中心部に開放されながら前記上部中間通路（Ｔ２）と連通される複数個の中部内側通路（Ｍ１）と、
前記上部胴体（１１３ｃ）は、前記上部中間通路（Ｔ２）とは交互に備えられながら一側面が外部に開放され、下面と上面が開放されながら円周方向に引き続き複数個形成される上部外側通路（Ｔ３）が追加で備えられ、
一側面が外部に開放されながら前記上部外側通路（Ｔ３）と連通される複数個の中部外側通路（Ｍ２）が備えられる、請求項２に記載の光触媒を用いた消毒および脱臭可能なウィッグスタンド。
【請求項４】
前記中間空間部（１１１ｂ）の上部側に中空の上部空間部（１１１ｃ）が設けられ、かつ前記下部空間部（１１１ａ）の直径は前記中間空間部（１１１ｂ）の直径より大きく、前記中間空間部（１１１ｂ）の直径は前記上部空間部（１１１ｃ）の直径より大きく形成されている、請求項１に記載の光触媒を用いた消毒および脱臭可能なウィッグスタンド。
【請求項５】
前記支持ブラケット（１２０）は、上部側に前記ウィッグ据置手段（１１０）の端部が挿設されるように凹溝（１２１）が形成される円筒部（１２２）、および、前記円筒部（１２２）で底面に支持される支持円筒部（１２３）が備えられ、
前記支持ブラケット（１２０）の中心部には前記支持ブラケット（１２０）の内側に備えられる前記ファン（１４０）で発生する風を前記ウィッグ据置手段（１１０）に供給する通風口（１２４）が備えられ、前記通風口（１２４）の中央には照明装置の電球が嵌められるソケット取付具（１２５）が備えられる、請求項１に記載の光触媒を用いた消毒および脱臭可能なウィッグスタンド。
【請求項６】
前記支持ブラケット（１２０）に備えられた前記支持円筒部（１２３）の底面には、凹凸形状の突起（１５１）が一定の間隔で複数形成されるリング形状の補助支持具（１５０）がさらに備えられる、請求項５に記載の光触媒を用いた消毒および脱臭可能なウィッグスタンド。
【請求項７】
前記照明装置（１３０）には頭皮をマッサージする頭皮マッサージ手段（１６０）がさらに連結設置され、かつ、
前記頭皮マッサージ手段（１６０）は、前記照明装置（１３０）に取り付けられるマルチポート（１３５）に連結されて作動する振動子（１６１）と、前記振動子（１６１）により振動されながら頭皮をマッサージする歯形状の頭皮マッサージ部材（１６２）とから構成される、請求項１に記載の光触媒を用いた消毒および脱臭可能なウィッグスタンド。
【請求項８】
前記頭皮マッサージ手段（１６０）の中央部には頭皮の状態を撮影するカメラ（１７０）がさらに設置具備される、請求項７に記載の光触媒を用いた消毒および脱臭可能なウィッグスタンド。
【請求項９】
前記胴体部材（１１３）をなす不織布は、上部の面積が下部の面積より広い、請求項２に記載の光触媒を用いた消毒および脱臭可能なウィッグスタンド。
【発明の詳細な説明】
【技術分野】
【０００１】
本発明は頭髪の脱毛状態を隠すか、または美容のために使用するウィッグを衛生的に管理するウィッグスタンドに関し、より詳しくは、外側上部にウィッグが据置できるように円筒形状に形成され、かつ光や空気が内外に通じる胴体部材を含むウィッグ据置手段を備え、かつ光触媒が塗布されたウィッグ据置手段の内部に照明装置と通風手段を取り付けて照明装置を通じて光を胴体部材に供給すると共に、内部を通風させることによって、胴体部材の光触媒を活性化させてウィッグ据置手段に据置されているウィッグに侵入した細菌を撲滅させたり臭いを除去したりすることによって、ウィッグを衛生的に管理して快適に使用することができるようにする光触媒を用いた消毒および脱臭可能なウィッグスタンドに関する。
【背景技術】
【０００２】
一般に、現代人は過度な精神的なストレスによる血液循環障害、男性ホルモン過剰分泌、脂漏性皮膚炎、遺伝的な要因による脱毛現象が発生するようになる。
【０００３】
このような脱毛現象は髪の毛がなければならない部分の毛髪が抜ける場合で、普通の正常な毛髪は８５〜９０％が成長期毛髪であり、１０〜１５％が休止期の毛髪であって、一日に５０〜６０個の休止期の毛髪が抜けることが知られているが、脱毛された個所にまた新たな毛髪が育たないことを意味する。
【０００４】
前記のように脱毛が進行されるか、または脱毛された人々は脱毛防止薬品を使用して脱毛を遅延させるか、または手術を通じて毛髪を植える方法などを使用しているが、これは高額な費用が発生して一般的に広く使用できていない。
【０００５】
したがって、少ない費用で脱毛された部分を隠すために一般的にはウィッグを多数の人が使用している。
【０００６】
最近、一般人らがよく好まれるウィッグは、一般の商店やデパートなどの陳列棚でしばしば見られるマネキン以外にはこれという保管用具がなく、しかも一般家庭では壁やあるいはだんすの内部に掛けて置いたり、引出しなどに入れて保管したりするのが実状である。
【０００７】
元来ウィッグとは、化学繊維質の原糸と人毛の原糸を使用して製造するものであって、このような原糸に熱を加えてパーマやドライ状態で製品を作るようになるが、このような状態の製品を放置した場合には、ウィッグ自体の重さだけでも毛髪状態が損傷されて耐久性が急激に落ちる。
【０００８】
そして、一度損傷された毛髪はまた熱を加えて形態を取らなければならず、このような場合にウィッグを着用する度に常にまた刈り込んで整えて使用しなければならない面倒さを繰り返すようになる。
【０００９】
現在、一般家庭にはウィッグを保管するための用具やウィッグを洗浄した後に乾燥させるための乾燥台や悪臭を除去する消毒器などが全く普及されていないので、高価なウィッグを保管状態が悪いことにより長期間使用することができず、直ぐに破損させるか、または毛髪スタイルが簡単に崩れるので、常にウィッグを着用しなければならないユーザには相当な負担を抱かせる要因であった。
【００１０】
そして、ウィッグは誤って保管する場合、ウィッグに菌が棲息するようになって、ウィッグ自体が損傷されることは勿論、長時間の着用により頭皮から出る汗によって悪臭が発生する問題点があった。
【先行技術文献】
【特許文献】
【００１１】
【特許文献１】韓国登録特許第１０−１４５７２４６号公報
【特許文献２】韓国登録実用新案第２０−０４４９９２８号公報
【特許文献３】韓国公開特許第１０−２０１４−０００１０４７号公報
【発明の概要】
【発明が解決しようとする課題】
【００１２】
ここに、本発明は前記のような従来の問題を解決するために案出したものであって、ウィッグを据置するように円筒形状に形成され、かつ光や空気が通じるウィッグ据置手段を備えて、照明装置を通じて光を照射して光触媒が塗布されたウィッグ据置手段の光触媒を活性化し、通風手段を通じて内部を循環させることによって、ウィッグ据置手段に据置されているウィッグに侵入した細菌を撲滅処理するか、または臭いを除去してウィッグを衛生的に管理し、快適に使用することができるようにする光触媒を用いた消毒および脱臭可能なウィッグスタンドを提供することをその目的とする。
【００１３】
本発明の他の目的は、ウィッグ据置手段を空気が通じる不織布などを用いた胴部材にして、これに据置されたウィッグに空気が円滑に通じるようにすることによって、汗や水気などを速かに乾燥させることができるようにすることにある。
【００１４】
本発明の他の目的は、ウィッグ据置手段の中央部を中空にしてウィッグスタンドが備えられる周辺の汚染された空気を光触媒に引き込ませて前記中空の中央部に貫通させることによって、汚染された空気を浄化させることができる空気浄化機能を提供することにある。
【００１５】
本発明の更に他の目的は、空気の流れを集中させて少ないファン容量でもウィッグまたは空気の浄化をすることができ、これによってファンの騷音を最小にすることができる光触媒を用いた消毒および脱臭可能なウィッグスタンドを提供することにある。
【００１６】
本発明の他の目的は、ウィッグにおいて臭いと細菌が主に発生する脳天部分の消毒および脱臭が集中的になされる光触媒を用いた消毒および脱臭可能なウィッグスタンドを提供することにある。
【００１７】
本発明の更に他の目的は、一定高さを有するウィッグ据置手段の中央部に脱装着可能に振動子が備えられる頭皮マッサージ手段を取り付けて周期的に頭皮をマッサージすることができるようにすることで、頭皮健康をより強化させることにある。
【００１８】
本発明の更に他の目的は、頭皮マッサージ手段にカメラを取り付けて常に同一な高さで頭皮の健康状態をチェック確認できるようにすることによって、頭皮管理が効率良くなされるようにすることにある。
【００１９】
また、本発明の他の目的は、ウィッグを被って活動した後に、家庭や宿泊施設で睡眠時に、ウィッグを消毒、脱臭、または乾燥させることができる光触媒を用いた消毒および脱臭可能なウィッグスタンドを提供することにある。
【課題を解決するための手段】
【００２０】
本発明は、ウィッグに侵入した細菌を消毒する、または臭いを除去するウィッグスタンドにおいて、ウィッグが外部に据置される、隔壁プレート１１２および前記隔壁プレート１１２と連結設置し、中空の空間部１１１が形成され、光触媒が塗布された胴体部材１１３からなるウィッグ据置手段１１０；前記ウィッグ据置手段１１０の下端部に取り付けられて前記ウィッグ据置手段１１０が支持される支持ブラケット１２０；前記ウィッグ据置手段１１０の内部に備えられて光を照射するよう取り付けられた照明装置１３０；前記支持ブラケット１２０に取り付けられて前記ウィッグ据置手段１１０の内部を換気させるファン１４０；を含み、前記ウィッグ据置手段１１０の内側に形成された前記空間部１１１は、下部に位置する下部空間部１１１ａ、および、前記下部空間部１１１ａの上部側に引き続き形成されながら前記照明装置１３０が位置する中間空間部１１１ｂを含み；前記胴体部材１１３は、複数枚の不織布を連続して貼り付けてハニカム形状に構成し、かつ複数の胴体に区分され、前記下部空間部１１１ａと前記中間空間部１１１ｂに近接して位置し、一側面が中心部に開放され、下面と上面が開放され、円周方向に引き続き複数個形成されて空気が移動される上部内側通路Ｔ１と、および、前記上部内側通路Ｔ１とは交互に備えられながら４面が塞がり、下面と上面が開放されながら円周方向に引き続き複数個形成されて空気が移動される上部中間通路Ｔ２を含む。
【００２１】
本発明は、前記胴体部材１１３は、上部側に形成される上部胴体１１３ｃ、前記上部胴体１１３ｃの下部に備えられながら前記中間空間部１１１ｂが形成される中部胴体１１３ｂ、および前記下部空間部１１１ａが形成される下部胴体１１３ａに区分される。
【００２２】
本発明は、前記中部胴体１１３ｂには一側面が中心部に開放されながら前記上部中間通路Ｔ２と連通される複数個の中部内側通路Ｍ１と、前記上部胴体１１３ｃは前記上部中間通路Ｔ２とは交互に備えられながら一側面が外部に開放され、下面と上面が開放されながら円周方向に引き続き複数個形成される上部外側通路Ｔ３がさらに備えられ、一側面が外部に開放されながら前記上部外側通路Ｔ３と連通される複数個の中部外側通路Ｍ２が備えられる。
【００２３】
また、本発明は、前記中間空間部１１１ｂの上部側には中空の上部空間部１１１ｃからなり、かつ前記下部空間部１１１ａの直径は前記中間空間部１１１ｂの直径より大きく、前記中間空間部１１１ｂの直径は前記上部空間部１１１ｃの直径より大きく形成される。
【００２４】
本発明は、前記支持ブラ個ット１２０は、上部側に前記ウィッグ据置手段１１０の端部が挿設されるように凹溝１２１が形成される円筒部１２２が備えられ、前記円筒部１２２で底面に支持される支持円筒部１２３が備えられ、また前記支持ブラケット１２０の中心部には前記支持ブラケット１２０の内側に備えられる前記ファン１４０で発生する風を前記ウィッグ据置手段１１０に供給する通風口１２４が備えられ、前記通風口１２４の中央には照明装置の電球が嵌められるソケット取付具１２５が備えられる。
【００２５】
本発明は、前記照明装置１３０には頭皮をマッサージする頭皮マッサージ手段１６０がさらに連結設置され、かつ前記頭皮マッサージ手段１６０は、前記照明装置１３０に取り付けられるマルチポート１３５に連結されて作動する振動子１６１と、前記振動子１６１により振動されながら頭皮をマッサージする歯形状の頭皮マッサージ部材１６２とから構成される。
【発明の効果】
【００２６】
したがって、本発明に従う光触媒を用いた消毒および脱臭可能なウィッグスタンドは、照明装置を通じて光を照射して光触媒が塗布されたウィッグ据置手段の光触媒を活性化し、通風手段を通じて内部を換気させることによって、ウィッグ据置手段に据置されているウィッグに侵入した細菌やウイルスなどを光触媒作用により滅菌処理する、または臭いを除去してウィッグを衛生的に管理し、快適に使用することができる長所がある。
【００２７】
また、本発明はウィッグ据置手段を空気が通じる不織布などで製作して、これに据置されたウィッグに空気が円滑に通じるようにすることによって、汗や水気などを速かに乾燥させることができる長所もある。
【００２８】
また、本発明はウィッグ据置手段の中央部を中空にして、ウィッグスタンドが備えられる周辺の汚染された空気を光触媒に引き込ませて前記中空の中央部に貫通させることによって、汚染された空気を浄化させることができる長所がある。
【００２９】
本発明は、空気の流れを集中させて少ないファン容量でもウィッグまたは空気の浄化をすることができ、これによってファンの騷音を最小にすることができる効果がある。
【００３０】
本発明は、ウィッグで臭いと細菌が主に発生する脳天部分の消毒および脱臭が集中的になされる長所がある。
【００３１】
また、本発明は一定高さを有するウィッグ据置手段の中央部に脱装着可能に振動子が備えられる頭皮マッサージ手段を取り付けて周期的に頭皮をマッサージすることによって、頭皮健康を強化させることができる長所がある。
【００３２】
また、本発明は頭皮マッサージ手段にカメラを取り付けて常に同一な高さで頭皮の健康状態をチェック確認できるようにすることによって、頭皮管理が効率良くなされる長所もある。
【００３３】
また、本発明はウィッグを被って活動した後に、ウィッグを使用しない非活動時間にウィッグの殺菌、脱臭、乾燥などを遂行することができる効果もある。
【００３４】
また、本発明の光触媒を用いた消毒および脱臭可能なウィッグスタンドは、ウィッグを殺菌、脱臭する間にムード灯として使用することができる効果がある。
【図面の簡単な説明】
【００３５】
【図１】本発明に係る光触媒を用いた消毒および脱臭可能なウィッグスタンドに対する斜視状態図である。
【図２】本発明に係る光触媒を用いた消毒および脱臭可能なウィッグスタンドの分離斜視状態図である。
【図３】本発明に係る光触媒を用いた消毒および脱臭可能なウィッグスタンドに対する状態断面図である。
【図４】本発明に係る光触媒を用いた消毒および脱臭可能なウィッグスタンドに対する状態断面図である。
【図５】本発明に係る光触媒を用いた消毒および脱臭可能なウィッグスタンドに備えられる頭皮マッサージ手段に対する分離斜視図および頭皮をマッサージする使用状態図である。
【図６】本発明に係る光触媒を用いた消毒および脱臭可能なウィッグスタンドにウィッグが据置されて消毒および脱臭が施行される使用状態図である。
【図７】本発明に係る光触媒を用いた消毒および脱臭可能なウィッグスタンドの胴体部材に対する詳細図である。
【図８】本発明に係る光触媒を用いた消毒および脱臭可能なウィッグスタンドの胴体部材に対する切欠図である。
【発明を実施するための形態】
【００３６】
以下、本発明の好ましい実施形態を添付した図面を参照して該当分野で通常の知識を有する者が容易に実施できるように説明する。
【００３７】
本発明に係る光触媒を用いた消毒および脱臭可能なウィッグスタンド１００は、図１から６に図示されているように、ウィッグが外部に据置され、１つ以上に構成される隔壁プレート１１２、および前記隔壁プレート１１２と連結設置し、中心部に空間部１１１が形成されてハニカム形状に形成されながら光触媒が塗布された胴体部材１１３からなるウィッグ据置手段１１０、前記ウィッグ据置手段１１０の下端部に取り付けられて前記ウィッグ据置手段１１０が支持される支持ブラケット１２０、前記ウィッグ据置手段１１０の内部に備えられて光を照射するよう取り付けられた照明装置１３０、および前記支持ブラケット１２０に取り付けられて外部の空気を強制に引き込ませて、前記ウィッグ据置手段１１０の内部を経て上部に排気させて内部と外部の空気を循環（換気）させるファン１４０を含む。
【００３８】
図１に示すように、本発明の前記ウィッグ据置手段１１０はその下端隅部に突起部１１４が形成されて前記支持ブラケット１２０に形成される凹溝１２１に対応して装着および脱着が容易である。
【００３９】
また、前記ウィッグ据置手段１１０はウィッグが容易に被せられるように内部に前記空間部１１１が形成される円筒形状に形成されているが、必ず円筒形状に限定されるものではなく、設置環境によって多様な形状に変形可能である。
【００４０】
また、前記ウィッグ据置手段１１０の内側に形成された前記空間部１１１は、前記ファン１４０の通風口１２４が挿設される下部空間部１１１ａ、前記下部空間部１１１ａの上部側に引き続き形成されながら前記照明装置１３０の電球１３１が挿設される中間空間部１１１ｂ、および前記中間空間部１１１ｂの上部側に引き続き形成されながら外部の空気が内部と容易に連通されるようにする上部空間部１１１ｃからなる。
【００４１】
ここで、前記下部空間部１１１ａの直径は前記中間空間部１１１ｂの直径より大きく、前記中間空間部１１１ｂの直径は前記上部空間部１１１ｃの直径より大きく形成されることが好ましいが、これに限定されるものではない。即ち、中間空間部と上部空間部の直径を同一にして中間空間部１１１ｂを上端部まで形成させることができる。
【００４２】
光触媒が塗布された胴体部材１１３は、不織布で製造可能である。前記胴体部材１１３は、図７および図８のように、上部が不織布が互いに接着されたハニカム形態に形成されながら上部から下部に長い管形状の通路からなる。１つの不織布を側面から見ると、上部が広くて下部が狭い形状で、かつ前記上部空間部１１１ｃから中間空間部１１１ｂに連結される部分で第１段差部ｔ１が備えられ、前記中間空間部１１１ｂから下部空間部１１１ａに連結される部分で第２段差部ｔ２が備えられる。不織布の上部が広いほど上部空間部１１１ｃが小さくなる。
【００４３】
前記胴体部材１１３は、基本的に複数枚の不織布を連続して貼り付けてハニカム形状に構成し、かつ前記上部空間部１１１ｃが形成される上部胴体１１３ｃ、前記中間空間部１１１ｂが形成される中部胴体１１３ｂ、および前記下部空間部１１１ａが形成される下部胴体１１３ａとに区分される。
【００４４】
空間部を囲んでその内側に形成された中心部に近接して一側面が中心部に開放され、下面と上面が開放され、円周方向に引き続き複数個形成されて空気が移動される上部内側通路Ｔ１と、前記上部内側通路Ｔ１とは交互に備えられながら４面が塞がり、下面と上面が開放されながら円周方向に引き続き複数個形成されて空気が移動される上部中間通路Ｔ２、および前記上部中間通路Ｔ２とは交互に備えられながら一側面が外部に開放され、下面と上面が開放されながら円周方向に引き続き複数個形成される上部外側通路Ｔ３が備えられる。この際、各々の上部通路Ｔ１、Ｔ２、Ｔ３は下部から上部に長い管形状にあいているので、ファン１４０により空気が通過する。本発明で、上部通路Ｔ１、Ｔ２、Ｔ３の個数を３個として記載したが、ウィッグスタンドのサイズと上部通路の直径のサイズによって個数が増減できる。
【００４５】
上部通路Ｔ１、Ｔ２、Ｔ３の下部には、一側面が中心部に開放されながら前記上部中間通路Ｔ２と連通される複数個の中部内側通路Ｍ１と、一側面が外部に開放されながら前記上部外側通路Ｔ３と連通される複数個の中部外側通路Ｍ２が備えられ、中部通路（中部内側通路と中部外側通路の通称）の下部には一側面が中心部に開放されながら前記中部内側通路Ｍ１と連通される複数個の下部内側通路Ｌ１と一側面が外部に開放されながら前記中部外側通路Ｍ２と連通される複数個の下部外側通路Ｌ２が備えられている。
【００４６】
ここで、前記上部外側通路Ｔ３、前記中部外側通路Ｍ２、および前記下部外側通路Ｌ２は一つの外側単一通路をなして、ウィッグが前記胴体部材１１３に被せられる場合、前記ウィッグの内部に上がった外気がまた下部に下りる通路の機能をするようになる。
【００４７】
また、前記上部中間通路Ｔ２、前記中部内側通路Ｍ１、および前記下部内側通路Ｌ１も一つの単一通路で形成される。
【００４８】
本発明で、上部通路は上部内側通路Ｔ１、上部中間通路Ｔ２、および上部外側通路Ｔ３を含み、中部通路Ｍ１、Ｍ２は中部内側通路Ｍ１および中部外側通路Ｍ２を含み、下部通路Ｌ１、Ｌ２は下部内側通路Ｌ１および下部外側通路Ｌ２を含む。
【００４９】
上部通路、中部通路、下部通路は，下端から上端まで管形状に内部が空いており、上部通路と中部通路、中部通路と下部通路が連結される場合にも全体的に一つの管のように内部が空いているので、空気が移動される。したがって、上部通路、中部通路、下部通路は、位置に従う分類であるので、上部通路と下部通路のように分類することもできる。
【００５０】
一方、上部通路、中部通路、下部通路は、下端から上端まで垂直に形成されることが好ましいが、傾斜して形成することもでき、このような場合には空気の通路の直径は上端と下端が異なることがある。即ち、上部通路、中部通路、下部通路が下端から上端に行くほど外側に広がるように傾斜した場合に、下部通路の直径が上部通路の直径より小さくなる。
【００５１】
また、上部胴体、中部胴体、下部胴体には中心部から外側まで放射状に３個の空気流れ通路があると説明したが、このような通路の個数は増減できる。このような場合にも中心部に近接した最初の通路は中心部側が開放され、上下端が開放され、その外側は交互に形成され、上下端を除外すれば側面が閉鎖されて、ファン１４０により提供される空気が不織布の内側を通過し、不織布に塗布された光触媒と広い面積で接触し、上部通路を通じてウィッグに提供される。
【００５２】
これをより具体的に説明すると、次の通りである。
【００５３】
ファン１４０が作動すれば、前記下部空間部１１１ａに備えられる前記通風口１２４に外気が上がるようになる。
【００５４】
前記のような構造で、前記ファン１４０で押されて上がった（この場合はファン１４０の回転により空気が下部から上部に移動することと仮定した場合である）空気が中間空間部１１１ｂを通過し、不織布と不織布との間に形成される前記通路を通じて前記胴体部材１１３の上部に上がってウィッグと接触するようになる。
【００５５】
即ち、前記通風口１２４に上昇する外気は、前記中部内側通路Ｍ１および前記上部中間通路Ｔ２を通じて上部に上がると共に、前記上部内側通路Ｔ１を通じても上部に上がるようになる。
【００５６】
この際、前記中部内側通路Ｍ１および前記上部中間通路Ｔ２と前記上部内側通路Ｔ１を通じて上部に上がった外気は、胴体部材１１３の上部に上がってウィッグＷと接触するようになる。
【００５７】
次に、前記胴体部材１１３の上部に上がってウィッグＷと接触した外気は最外郭に位置した前記上部外側通路Ｔ３、前記中部外側通路Ｍ２、および、前記下部外側通路Ｌ２を通じて下降しながら一部はウィッグの側面内部と接触し、一部は外部に広がる。
【００５８】
この過程で、前記胴体部材１１３には光触媒が塗布されているので、前記ファン１４０により外気が前記中部内側通路Ｍ１および前記上部中間通路Ｔ２と前記上部内側通路Ｔ１を通じて上部に上がる時に光触媒が活性化され、また前記上部外側通路Ｔ３、前記中部外側通路Ｍ２、および前記下部外側通路Ｌ２を通じて下降する時も光触媒が活性化される。
【００５９】
このように、ファン１４０により押し寄せた空気は前記通路を通過しながら上部に移動するので、光触媒と広い面積で接触できるので、光触媒効果を極大化することができる。また、光触媒と接触し、上部に上がった空気はウィッグがある場合には汚染が最も酷いウィッグの内側面（即ち、人の頭に被せられた時の‘脳天’に該当する位置）に集中的に接触した後、胴体手段１１３の外側面に位置した通路を通過しながら下に降りてウィッグの内側面に続けて接触するようになり、ウィッグがない場合には光触媒と接触して浄化された空気は上部に上がって周辺に広がるようになる。
【００６０】
そして、ウィッグが胴体部材１１３に被せられない場合には、ファン１４０の回転方向を反対にしてウィッグスタンドの周辺の空気浄化をすることもできる。
【００６１】
そして、前記支持ブラケット１２０は上部側に前記ウィッグ据置手段１１０の前記突起部１１４が挿設されるように前記凹溝１２１が形成される円筒部１２２が備えられ、前記円筒部１２２から下端部に行くほど徐々に直径が大きくなりながら地面や底面に堅く支持される支持円筒部１２３が備えられている。
【００６２】
前記支持ブラケット１２０の凹溝１２１に置かれる胴体部材１１３の不織布（突起部１１４）は、前記凹溝１２１と円筒部１２３、そして、通風口１２４の壁面によって空気が不織布の下端に移動できない。
【００６３】
また、前記支持ブラケット１２０の中心部には前記支持ブラケット１２０の内側に備えられる前記ファン１４０で発生する風を前記空間部１１１側に供給する通風口１２４が備えられ、前記通風口１２４の中央には前記電球１３１が嵌められるソケット取付具１２５が備えられ、前記ソケット取付具１２５には前記電球１３１が嵌められるソケット１３２が取り付けられる。
【００６４】
したがって、前記ソケット取付具１２５の周辺にはファン１４０の回転方向に従って外部の空気が中空の前記空間部１１１に供給されるか、または反対に、中空の空間部１１１に留まる内部の空気が前記通風口１２４を通過しながら上部に排出できる。
【００６５】
また、前記ソケット取付具１２５の外周辺に前記通風口１２４が備えられることによって、ソケット取付具１２５に取り付けられる電球１３１を含んだ照明装置１３０の温度が過度に上昇することを抑制することができる。即ち、ファン１４０の回転によって発生する空気の流れにより電球１３１の周辺には空気が続けて移動し、このような空気の移動は後述する空気の浄化と共に電球（通常、ＬＥＤランプ）の温度を下げるようになる。
【００６６】
前記ソケット１３２には外部電源と連結されて前記電球１３１に電源が供給できるようにする電源線１３３およびスイッチ１３４が前記支持ブラケット１２０を通過して連結設置される。
【００６７】
また、前記電球１３１が取り付けられる電球プレート１３１ａには複数の電源出力ポートからなるマルチポート１３５が取り付けられる。ここで、前記電球プレート１３１ａは無線通信モジュールが内部に備えられて外部からＯＮ／ＯＦＦを遠隔調節することができる。
【００６８】
一方、電球プレート１３１ａの一側には外部連結用マルチポート１３５が備えられてウィッグスタンドの内部で使われる各種の電源を提供する。即ち、前記ファン１４０、後述する空気質センサー、頭皮マッサージ手段１６０、およびカメラ１７０に電源を供給する。
【００６９】
本発明は、前記隔壁プレート１１２に前記胴体部材１１３を円周方向に取り付けて円筒形状に構成し、その内部に前記空間部１１１が形成される構成を有するようになる。
【００７０】
即ち、前記隔壁プレート１１２に前記胴体部材１１３を連結すれば、外部の形状が全体的に同一に形成されながら、その内部に前記空間部１１１が形成され、前記空間部１１１の中間部に形成される前記中間空間部１１１ｂには前記照明装置１３０が位置する。
【００７１】
そして、前記空間部１１１の下部側に形成される前記下部空間部１１１ａには前記通風口１２４が挿設されるようになる。
【００７２】
ここで、前記胴体部材１１３を支持する前記隔壁プレート１１２は１つが取り付けられることもでき、２つ以上取り付けられることもできる。本発明の前記胴体部材１１３が前記隔壁プレート１１２に連結される構成は、通常の技術者が容易に実施できるので、詳細構成の説明は省略する。
【００７３】
また、前記胴体部材１１３には光の供給により活性化される光触媒が塗布されている。
【００７４】
そして、前記支持ブラケット１２０に備えられる前記支持円筒部１２３の底面には、外部の空気が前記支持ブラケット１２０の内側に出入自在に凹凸形状の突起１５１が一定の間隔で複数形成されるリング形状の補助支持具１５０が備えられている。
【００７５】
したがって、前記ファン１４０が駆動されれば、前記支持円筒部１２３の底面に備えられる前記補助支持具１５０の前記突起１５１の間を通じて外部空気が前記胴体部材１１３に容易に供給できるようになる。
【００７６】
即ち、前記ファン１４０が駆動により外部空気が前記突起１５１の間を通じて前記支持ブラケット１２０の内側に入り、また前記通風口１２４を経て前記胴体部材１１３の内部空間部１１１を経て上部に抜けるようになることによって、換気が容易になされるようになる。
【００７７】
この際、前記胴体部材１１３自体が空気通過可能な部材の場合、内部に流入した一部の外気は前記胴体部材１１３の壁体を通じて外部に抜けながら換気がより効果的になされるようになる。したがって本発明のウィッグスタンドは周辺の空気を浄化させる機能を有する。胴体部材１１３にウィッグが置かれていない場合、ファン１４０を通じて外気を引き込ませて中空の空間部１１１を貫通する時に胴体部材１１３に塗布された光触媒を照明装置により活性化させて空気を浄化することができる。
【００７８】
特に、前記ウィッグ据置手段１１０の内側には外部空気の汚染状態を測定する空気質センサー（図示せず）がさらに取り付けられることができ、前記空気質センサーでウィッグスタンドの空気汚染程度を把握し、ファン駆動を自動（手動含み）に制御するようにすることができる。これは、ウィッグがウィッグスタンドに置かれていないか、またはウィッグ据置手段１１０に置かれたウィッグの汚染状態を能動的にチェックできるので、効果的に汚染源を除去できるようになる。
【００７９】
したがって、前記ウィッグ据置手段１１０にウィッグを据置した後、内部に取り付けられた前記空気質センサーによりウィッグまたは空気中で発生する各種の有機化合物（ＶｏＣ）がチェックされれば、前記ファン１４０を稼動してこれらを効果的に除去できるようになる。この場合、前記照明装置１３０を作動して光触媒を活性化させることによって、臭いや細菌などを同時に除去することもできる。
【００８０】
本発明の前記照明装置１３０には頭皮をマッサージする頭皮マッサージ手段１６０がさらに連結設置されている。
【００８１】
前記頭皮マッサージ手段１６０は、前記電球プレート１３１ａに取り付けられる前記マルチポート１３５に連結されて作動する振動子１６１と、前記振動子１６１により振動しながら頭皮をマッサージする歯形状の頭皮マッサージ部材１６２とから構成されている。
【００８２】
したがって、前記頭皮マッサージ部材１６２を頭皮に当てて前記振動子１６１を駆動させれば、前記振動子１６１の振動により同一高さに形成された歯形状の前記頭皮マッサージ部材１６２が振動を起こしながら頭皮をマッサージして頭皮を健康に管理することができる。
【００８３】
そして、前記頭皮マッサージ手段１６０の内側中央には頭皮の状態を撮影するカメラ１７０が設置具備されている。
【００８４】
通常的に、ウィッグを使用する人は頭皮の状態を随時鏡や画面を通じて見て、その異常の有無を管理するようになるが、従来には携帯電話などのモバイル機器を用いて頭皮状態を撮影確認する場合が多かった。
【００８５】
このように、頭皮を毎度モバイル機器で撮影する場合、その撮影高低が異なって頭皮状態を観察することに同一性がないという問題があった。
【００８６】
したがって、本発明は前記のように前記頭皮マッサージ部材１６２の上部側に前記カメラ１７０が固定されているので、前記頭皮マッサージ部材１６２が図５ｂに図示されているように、頭皮に沿って移動しながらマッサージする時、前記カメラ１７０が同一な高さで全ての頭皮を撮影できるので、頭皮観察の同一性を有するようになる。前記カメラ１７０により撮影された写真イメージは、照明装置１３０の内側に備えられたメモリー（図示せず）に格納して必要時に確認することができる。この際、前記メモリーは前記マルチポート１３５で資料を抽出すればよい。
【００８７】
一方、本発明の前記照明装置１３０はその直上方のみで光が見えるので、光触媒を用いた消毒および脱臭可能なウィッグスタンド１００は、ベッドの横に位置しても睡眠を妨害せず、照明装置の色相によって淡いムード灯として機能することができる。
【００８８】
また、胴体部材１１３は側面で空気と光が通じる空間となり、これによって胴体部材１１３の外部に照明が伝達されて光触媒が活発に活動することができる。
【００８９】
以上のように構成される本発明は、図６に示すように、前記ウィッグ据置手段１１０にウィッグＷを据置した後、前記ウィッグ据置手段１１０の内部に形成される前記空間部１１１に取り付けられた前記照明装置１３０の電球１３１に光を供給すれば、光は前記胴体部材１１３を通じて前記ウィッグの内面に供給される。
【００９０】
この際、前記胴体部材１１３に塗布された光触媒が活性化されて触媒反応が起こるようになる。
【００９１】
光触媒とは、二酸化チタニウム（ＴｉＯ２）に光を照射すれば結晶表面に生じる電子が離脱した正孔が水分子と反応して酸化力が非常に大きいヒドロキシラジカルを形成するが、このラジカルの反応力を用いて有機物質を酸化させるなど、水処理分野にも応用されている。光の照射がこのような反応を早く誘導して光触媒と称される。
【００９２】
したがって、本発明は前記照明装置１３０の電球に光を供給することによって、前記胴体部材１１３に塗布された光触媒が活性化されてウィッグに侵入した細菌やウイルスなどを光触媒作用により滅菌処理するか、または臭いを除去してウィッグを衛生的に管理し、快適に使用できるようになる。
【００９３】
また、前記ファン１４０を通じて内部を簡便に換気させることができるので、より衛生的に管理できる。
【００９４】
また、前記頭皮マッサージ手段１６０を通じて頭皮をより健康に維持管理する長所もある。
【００９５】
以上、本発明に係る光触媒を用いたウィッグ消毒兼用臭い脱臭器は、外側上部にウィッグが据置できるように円筒形状に形成されながら、光や空気が内外に通じるようにするハニカム形状の胴体部材からなるウィッグ据置手段を備え、かつウィッグ据置手段に光触媒を塗り付けて、その内部に照明装置と通風手段を取り付けて、照明装置を通じて光を胴体部材に供給すると共に、内部を循環（通風）させることによって、胴体部材の光触媒を活性化させてウィッグ据置手段に据置されているウィッグに侵入した細菌を撲滅させるか、または臭いを除去することによって、ウィッグを衛生的に管理して快適に使用することができる。
【符号の説明】
【００９６】
１００    光触媒を用いた消毒および脱臭可能なウィッグスタンド
１１０    ウィッグ据置手段
１１１    空間部
１１２    隔壁プレート
１１３    胴体部材
１２０    支持ブラケット
１２１    凹溝
１２２    円筒部
１２３    支持円筒部
１２４    通風口
１２５    ソケット取付具
１３０    照明装置
１３１    電球
１３１ａ    電球プレート
１３２    ソケット
１３３    電源線
１３４    スイッチ
１３５    マルチポート
１４０    ファン
１５０    補助支持具
１５１    突起
１６０    頭皮マッサージ手段
１６１    振動子
１６２    頭皮マッサージ部材
１７０    カメラ
【図１】
2018178341.tif 000003
【図２】
2018178341.tif 000004
【図３】
2018178341.tif 000005
【図４】
2018178341.tif 000006
【図５】
2018178341.tif 000007
【図６】
2018178341.tif 000008
【図７】
2018178341.tif 000009
【図８】
2018178341.tif 000010